(57)【特許請求の範囲】
【請求項１】
撮影画像が形成される画像コマ部と前記撮影画像に対応する音声信号が記録される磁気記録部とを備えた写真フィルムから音声付き写真を作成する音声付き写真処理装置において、
前記画像コマ部の撮影画像を感光材料に焼き付ける投影露光部と、
前記磁気記録部から音声信号を読み取る磁気ヘッドと、
前記磁気ヘッドにより読み取られた音声信号を光学的に読み取り可能なようにコード化された音声コードイメージに変換するコード化変換部と、
前記音声コードイメージを前記感光材料に印刷するプリント装置と、
作成されるべき音声付き写真が有するエリアに対するレイアウト情報に基づいて、前記撮影画像の画像イメージを焼き付ける画像領域と前記音声コードイメージを記録する音声領域を割り付ける領域設定部と、
を備え、
前記領域設定部はペーパーサイズ優先モードと音質優先モードを備えており、ペーパーサイズ優先モードでは、変更コマンドに応答して、圧縮パラメータを変更して対応音声信号を再コード化することで音声コードイメージが必要とする領域サイズを変更し、音質優先モードでは、変更コマンドに応答して、前記音声領域を前記音声コードイメージが必要とする領域サイズに合うようなサイズに変更する音声付き写真処理装置。
【請求項２】
撮影画像が形成される画像コマ部と前記撮影画像に対応する音声信号が記録される磁気記録部とを備えた写真フィルムから音声付き写真を作成する音声付き写真処理装置において、
前記画像コマ部の撮影画像を感光材料に焼き付ける投影露光部と、
前記磁気記録部から音声信号を読み取る磁気ヘッドと、
前記磁気ヘッドにより読み取られた音声信号を光学的に読み取り可能なようにコード化された音声コードイメージに変換するコード化変換部と、
前記音声コードイメージを前記感光材料に焼き付けるデジタル露光部と、
作成されるべき音声付き写真が有するエリアに対するレイアウト情報に基づいて前記撮影画像の画像イメージを焼き付ける画像領域と前記音声コードイメージを焼き付ける音声領域を割り付ける領域設定部と、
前記画像イメージと音声コードイメージが焼き付けられた感光材料を現像して音声付き写真プリントを作り出す現像処理部と、
を備え、
前記領域設定部はペーパーサイズ優先モードと音質優先モードを備えており、ペーパーサイズ優先モードでは、変更コマンドに応答して、圧縮パラメータを変更して対応音声信号を再コード化することで音声コードイメージが必要とする領域サイズを変更し、音質優先モードでは、変更コマンドに応答して、前記音声領域を前記音声コードイメージが必要とする領域サイズに合うようなサイズに変更する音声付き写真処理装置。
【請求項３】
撮影画像が形成される画像記録部と前記撮影画像に対応する音声信号が記録される音声記録部とを備えた記録メディアから音声付き写真を作成する音声付き写真処理装置において、
前記画像記録部から撮影画像を取り込む画像入力部と、
前記音声記録部から音声信号を取り込むデータインターフェース部と、
前記画像入力部により取り込まれた画像情報をプリント用画像イメージに変換する画像変換部と、
前記データインターフェース部により取り込まれた音声信号を光学的に読み取り可能なようにコード化された音声コードイメージに変換するコード化変換部と、
作成されるべき音声付き写真が有するエリアに対するレイアウト情報に基づいて、前記撮影画像の画像イメージを記録する画像領域と前記音声コードイメージを記録する音声領域を割り付ける領域設定部と、
領域を割り付けられた前記画像イメージと前記音声コードイメージを合成する画像処理部と、
前記画像処理部で合成された両イメージを感光材料に焼き付けるデジタル露光部と、
前記画像イメージと音声コードイメージが焼き付けられた感光材料を現像して音声付き写真プリントを作り出す現像処理部と、
を備え、
前記領域設定部はペーパーサイズ優先モードと音質優先モードを備えており、ペーパーサイズ優先モードでは、変更コマンドに応答して、圧縮パラメータを変更して対応音声信号を再コード化することで音声コードイメージが必要とする領域サイズを変更し、音質優先モードでは、変更コマンドに応答して、前記音声領域を前記音声コードイメージが必要とする領域サイズに合うようなサイズに変更する音声付き写真処理装置。
【請求項４】
撮影画像が形成される画像記録部と前記撮影画像に対応する音声信号が記録される音声記録部とを備えた記録メディアから音声付き写真を作成する音声付き写真処理装置において、
前記画像記録部から撮影画像を取り込む画像入力部と、
前記音声記録部から音声信号を取り込むデータインターフェース部と、
前記画像入力部により取り込まれた画像情報をプリント用画像イメージに変換する画像変換部と、
前記データインターフェース部により取り込まれた音声信号を光学的に読み取り可能なようにコード化された音声コードイメージに変換するコード化変換部と、
作成されるべき音声付き写真が有するエリアに対するレイアウト情報に基づいて、前記撮影画像の画像イメージを記録する画像領域と前記音声コードイメージを記録する音声領域を割り付ける領域設定部と、
領域を割り付けられた前記画像イメージと前記音声コードイメージを合成する画像処理部と、
前記画像処理部で合成された両イメージを印刷シートにプリントアウトするプリント装置と、
を備え、
前記領域設定部はペーパーサイズ優先モードと音質優先モードを備えており、ペーパーサイズ優先モードでは、変更コマンドに応答して、圧縮パラメータを変更して対応音声信号を再コード化することで音声コードイメージが必要とする領域サイズを変更し、音質優先モードでは、変更コマンドに応答して、前記音声領域を前記音声コードイメージが必要とする領域サイズに合うようなサイズに変更する音声付き写真処理装置。
【請求項５】
撮影画像が形成される画像コマ部と前記撮影画像に対応する音声信号が記録される磁気記録部とを備えた写真フィルムから音声付き写真を作成する音声付き写真処理装置において、
前記画像コマ部の撮影画像を感光材料に焼き付ける投影露光部と、
前記磁気記録部から音声信号を読み取る磁気ヘッドと、
前記磁気ヘッドにより読み取られた音声信号を光学的に読み取り可能なようにコード化された音声コードイメージに変換するコード化変換部と、
前記音声コードイメージを前記感光材料に印刷するプリント装置と、
作成されるべき音声付き写真が有するエリアに対するレイアウト情報に基づいて、前記撮影画像の画像イメージを焼き付ける画像領域と前記音声コードイメージを記録する音声領域を割り付ける領域設定部と、
を備え、
前記レイアウト情報は前記写真フィルムの所定箇所に記録されている音声付き写真処理装置。
【請求項６】
撮影画像が形成される画像コマ部と前記撮影画像に対応する音声信号が記録される磁気記録部とを備えた写真フィルムから音声付き写真を作成する音声付き写真処理装置において、
前記画像コマ部の撮影画像を感光材料に焼き付ける投影露光部と、
前記磁気記録部から音声信号を読み取る磁気ヘッドと、
前記磁気ヘッドにより読み取られた音声信号を光学的に読み取り可能なようにコード化された音声コードイメージに変換するコード化変換部と、
前記音声コードイメージを前記感光材料に焼き付けるデジタル露光部と、
作成されるべき音声付き写真が有するエリアに対するレイアウト情報に基づいて前記撮影画像の画像イメージを焼き付ける画像領域と前記音声コードイメージを焼き付ける音声領域を割り付ける領域設定部と、
前記画像イメージと音声コードイメージが焼き付けられた感光材料を現像して音声付き写真プリントを作り出す現像処理部と、
前記レイアウト情報は前記写真フィルムの所定箇所に記録されている音声付き写真処理装置。
【請求項７】
撮影画像が形成される画像記録部と前記撮影画像に対応する音声信号が記録される音声記録部とを備えた記録メディアから音声付き写真を作成する音声付き写真処理装置において、
前記画像記録部から撮影画像を取り込む画像入力部と、
前記音声記録部から音声信号を取り込むデータインターフェース部と、
前記画像入力部により取り込まれた画像情報をプリント用画像イメージに変換する画像変換部と、
前記データインターフェース部により取り込まれた音声信号を光学的に読み取り可能なようにコード化された音声コードイメージに変換するコード化変換部と、
作成されるべき音声付き写真が有するエリアに対するレイアウト情報に基づいて、前記撮影画像の画像イメージを記録する画像領域と前記音声コードイメージを記録する音声領域を割り付ける領域設定部と、
領域を割り付けられた前記画像イメージと前記音声コードイメージを合成する画像処理部と、
前記画像処理部で合成された両イメージを感光材料に焼き付けるデジタル露光部と、
前記画像イメージと音声コードイメージが焼き付けられた感光材料を現像して音声付き写真プリントを作り出す現像処理部と、
を備え、
前記レイアウト情報は前記記録メディアの所定箇所に記録されている音声付き写真処理装置。
【請求項８】
撮影画像が形成される画像記録部と前記撮影画像に対応する音声信号が記録される音声記録部とを備えた記録メディアから音声付き写真を作成する音声付き写真処理装置において、
前記画像記録部から撮影画像を取り込む画像入力部と、
前記音声記録部から音声信号を取り込むデータインターフェース部と、
前記画像入力部により取り込まれた画像情報をプリント用画像イメージに変換する画像変換部と、
前記データインターフェース部により取り込まれた音声信号を光学的に読み取り可能なようにコード化された音声コードイメージに変換するコード化変換部と、
作成されるべき音声付き写真が有するエリアに対するレイアウト情報に基づいて、前記撮影画像の画像イメージを記録する画像領域と前記音声コードイメージを記録する音声領域を割り付ける領域設定部と、
領域を割り付けられた前記画像イメージと前記音声コードイメージを合成する画像処理部と、
前記画像処理部で合成された両イメージを印刷シートにプリントアウトするプリント装置と、
を備え、
前記レイアウト情報は前記記録メディアの所定箇所に記録されている音声付き写真処理装置。
【請求項９】
撮影画像が形成される画像コマ部と前記撮影画像に対応する音声信号が記録される磁気記録部とを備えた写真フィルムから音声付き写真を作成する音声付き写真処理装置において、
前記画像コマ部の撮影画像を感光材料に焼き付ける投影露光部と、
前記磁気記録部から音声信号を読み取る磁気ヘッドと、
前記磁気ヘッドにより読み取られた音声信号を光学的に読み取り可能なようにコード化された音声コードイメージに変換するコード化変換部と、
前記音声コードイメージを前記感光材料に印刷するプリント装置と、
作成されるべき音声付き写真が有するエリアに対するレイアウト情報に基づいて、前記撮影画像の画像イメージを焼き付ける画像領域と前記音声コードイメージを記録する音声領域を割り付ける領域設定部と、
を備え、
前記領域設定部による前記両イメージの領域割り付け情報を前記写真フィルムの所定箇所に記録する音声付き写真処理装置。
【請求項１０】
撮影画像が形成される画像コマ部と前記撮影画像に対応する音声信号が記録される磁気記録部とを備えた写真フィルムから音声付き写真を作成する音声付き写真処理装置において、
前記画像コマ部の撮影画像を感光材料に焼き付ける投影露光部と、
前記磁気記録部から音声信号を読み取る磁気ヘッドと、
前記磁気ヘッドにより読み取られた音声信号を光学的に読み取り可能なようにコード化された音声コードイメージに変換するコード化変換部と、
前記音声コードイメージを前記感光材料に焼き付けるデジタル露光部と、
作成されるべき音声付き写真が有するエリアに対するレイアウト情報に基づいて前記撮影画像の画像イメージを焼き付ける画像領域と前記音声コードイメージを焼き付ける音声領域を割り付ける領域設定部と、
前記画像イメージと音声コードイメージが焼き付けられた感光材料を現像して音声付き写真プリントを作り出す現像処理部と、
を備え、
前記領域設定部による前記両イメージの領域割り付け情報を前記写真フィルムの所定箇所に記録する音声付き写真処理装置。
【請求項１１】
撮影画像が形成される画像記録部と前記撮影画像に対応する音声信号が記録される音声記録部とを備えた記録メディアから音声付き写真を作成する音声付き写真処理装置において、
前記画像記録部から撮影画像を取り込む画像入力部と、
前記音声記録部から音声信号を取り込むデータインターフェース部と、
前記画像入力部により取り込まれた画像情報をプリント用画像イメージに変換する画像変換部と、
前記データインターフェース部により取り込まれた音声信号を光学的に読み取り可能なようにコード化された音声コードイメージに変換するコード化変換部と、
作成されるべき音声付き写真が有するエリアに対するレイアウト情報に基づいて、前記撮影画像の画像イメージを記録する画像領域と前記音声コードイメージを記録する音声領域を割り付ける領域設定部と、
領域を割り付けられた前記画像イメージと前記音声コードイメージを合成する画像処理部と、
前記画像処理部で合成された両イメージを感光材料に焼き付けるデジタル露光部と、
前記画像イメージと音声コードイメージが焼き付けられた感光材料を現像して音声付き写真プリントを作り出す現像処理部と、
を備え、
前記領域設定部による前記両イメージの領域割り付け情報を前記記録メディアの所定箇所に記録する音声付き写真処理装置。
【請求項１２】
撮影画像が形成される画像記録部と前記撮影画像に対応する音声信号が記録される音声記録部とを備えた記録メディアから音声付き写真を作成する音声付き写真処理装置において、
前記画像記録部から撮影画像を取り込む画像入力部と、
前記音声記録部から音声信号を取り込むデータインターフェース部と、
前記画像入力部により取り込まれた画像情報をプリント用画像イメージに変換する画像変換部と、
前記データインターフェース部により取り込まれた音声信号を光学的に読み取り可能なようにコード化された音声コードイメージに変換するコード化変換部と、
作成されるべき音声付き写真が有するエリアに対するレイアウト情報に基づいて、前記撮影画像の画像イメージを記録する画像領域と前記音声コードイメージを記録する音声領域を割り付ける領域設定部と、
領域を割り付けられた前記画像イメージと前記音声コードイメージを合成する画像処理部と、
前記画像処理部で合成された両イメージを印刷シートにプリントアウトするプリント装置と、
を備え、
前記領域設定部による前記両イメージの領域割り付け情報を前記記録メディアの所定箇所に記録する音声付き写真処理装置。
【請求項１３】
前記領域設定部は前記画像領域外に前記音声領域を割り付けることを特徴とする請求項１〜１２のいずれかに記載の音声付き写真処理装置。
【請求項１４】
前記領域設定部は前記画像領域に前記音声領域をオーバーラップさせる又はその内側に入れるように割り付けることを特徴とする請求項１〜１２のいずれかに記載の音声付き写真処理装置。
【請求項１５】
前記レイアウト情報は前記写真フイルム又は前記記録メディアに記録された被写体位置情報であり、前記被写体位置情報より被写体位置を読み取って前記画像領域内の被写体位置以外に前記音声領域が割り付けられることを特徴とする請求項１〜１２のいずれかに記載の音声付き写真処理装置。
【請求項１６】
前記被写体位置情報は前記撮影画像に記録された被写体の濃度または被写体までの測距距離であることを特徴とする請求項１５に記載の音声付き写真処理装置。
【請求項１７】
前記レイアウト情報は、前記写真フイルム又は前記記録メディアに記録され、作成されるべき音声付き写真が有するエリアを規定するプリントサイズ情報を含むであることを特徴とする請求項１〜１２のいずれかに記載の音声付き写真処理装置。
【請求項１８】
前記領域設定部によって割り付けられる前記画像領域及び前記音声領域を含む、作成されるべき音声付き写真のレイアウトをモニタに表示することを特徴とする請求項１〜１７のいずれかに記載の音声付き写真処理装置。
【発明の詳細な説明】
【０００１】
【発明の属する技術分野】
本発明は、撮影画像が形成される画像記録部と前記撮影画像に対応する音声信号が記録される音声記録部とを備えた写真フィルムや音声と画像を扱う各種デジタル機器用の記録メディアから音声付き写真を作成する音声付き写真処理装置に関する。
【０００２】
【従来の技術】
銀塩写真方式でもって、写真カメラによって写真フィルムに形成された撮影画像は印画紙にプリントされることにより、長年にわたって、被写体の情報を写真、つまり静止画像という視覚に頼った形態で広い地域に、時間を越えて伝達されている。
近年、マルチメディア時代を迎えて、情報の伝達を視覚だけに頼るのではなく、聴覚も利用することが積極的に試みられており、例えば、各種データを記録するための磁気記録部が設けられている写真フィルム（例えば新写真システム：ＡＰＳ規格）を用いて撮像と同時に音声を磁気記録部に記録し、プリント時に画像と同時に適当なスキャナーによって音を出すことができる音声符号化コードをも記録することで音声付き写真を作成する技術が特開平５−２２４３２０号公報に開示されている。また、本出願の共同出願人の一方であるオリンパス光学工業株式会社によって出願された特開平７−１８１６０６号公報では、ソース媒体として前述したＡＰＳ規格の写真フィルムだけでなく、デジタルスチールカメラで用いられている記録メディアを利用した技術も開示されている。
【０００３】
音声信号のための効果的な音声符号化コードとして、同じくオリンパス光学工業株式会社によって出願された、特開平６−２３１４６６号公報に光学的に読取可能に変換したドットコード（音声コードイメージ）が提案されており、この音声コードイメージは図や写真、文字とともに同一の用紙上に印刷され、前記ドットコードを読み取る専用のスキャナーにより音声情報が得られる。
【０００４】
【発明が解決しようとする課題】
しかしながら、従来の音声付き写真では、プリント時に画像イメージに続いてその横に音声コードイメージを記録しているだけであり、音声付き写真における画像イメージと音声イメージのレイアウトは注目されておらず、従って音声付き写真の作成時に画像イメージを記録する画像領域と音声コードイメージを記録する音声領域を割り付ける領域をソースとしての画像と音声の特徴に応じてどのように配置すべきかといった点は無視されていた。このことは、アートフルな物品である写真において、特に深刻となる。
【０００５】
本発明の目的は、撮影画像が形成される画像記録部と前記撮影画像に対応する音声信号が記録される音声記録部とを備えた写真フィルムや音声と画像を扱う各種デジタル機器のための記録メディアから音声付き写真を作成する際の音声付き写真における画像領域と音声領域の種々の仕様に合ったレイアウト編集を容易に行う技術を提供することである。
【０００６】
【課題を解決するための手段】
上記目的を達成するための本発明による第１の手段としての写真処理装置は、画像コマ部の撮影画像を感光材料に焼き付ける投影露光部と、磁気記録部から音声信号を読み取る磁気ヘッドと、前記磁気ヘッドにより読み取られた音声信号を光学的に読み取り可能なようにコード化された音声コードイメージに変換するコード化変換部と、前記音声コードイメージを前記感光材料に印刷するプリント装置と、作成されるべき音声付き写真が有するエリアに対するレイアウト情報に基づいて、前記撮影画像の画像イメージを焼き付ける画像領域と前記音声コードイメージを記録する音声領域を割り付ける領域設定部とを備え、さらに以下のいずれかの特徴を備えている；
１）前記領域設定部はペーパーサイズ優先モードと音質優先モードを備えており、ペーパーサイズ優先モードでは、変更コマンドに応答して、圧縮パラメータを変更して対応音声信号を再コード化することで音声コードイメージが必要とする領域サイズを変更し、音質優先モードでは、変更コマンドに応答して、前記音声領域を前記音声コードイメージが必要とする領域サイズに合うようなサイズに変更すること、
２）前記レイアウト情報は前記写真フィルム又は前記記録メディアの所定箇所に記録されていること、
３）前記領域設定部による前記両イメージの領域割り付け情報を前記写真フィルム又は前記記録メディアの所定箇所に記録すること。
【０００７】
本発明による第２の手段としての写真処理装置は、画像コマ部の撮影画像を感光材料に焼き付ける投影露光部と、磁気記録部から音声信号を読み取る磁気ヘッドと、前記磁気ヘッドにより読み取られた音声信号を光学的に読み取り可能なようにコード化された音声コードイメージに変換するコード化変換部と、前記音声コードイメージを前記感光材料に焼き付けるデジタル露光部と、作成されるべき音声付き写真が有するエリアに対するレイアウト情報に基づいて、前記撮影画像の画像イメージを焼き付ける画像領域と前記音声コードイメージを焼き付ける音声領域を割り付ける領域設定部と、前記画像イメージと音声コードイメージが焼き付けられた感光材料を現像して音声付き写真プリントを作り出す現像処理部とを備え、さらに以下のいずれかの特徴を備えている；
１）前記領域設定部はペーパーサイズ優先モードと音質優先モードを備えており、ペーパーサイズ優先モードでは、変更コマンドに応答して、圧縮パラメータを変更して対応音声信号を再コード化することで音声コードイメージが必要とする領域サイズを変更し、音質優先モードでは、変更コマンドに応答して、前記音声領域を前記音声コードイメージが必要とする領域サイズに合うようなサイズに変更すること、
２）前記レイアウト情報は前記写真フィルム又は前記記録メディアの所定箇所に記録されていること、
３）前記領域設定部による前記両イメージの領域割り付け情報を前記写真フィルム又は前記記録メディアの所定箇所に記録すること。
【０００８】
本発明による第３の手段としての写真処理装置は、画像記録部から撮影画像を取り込む画像入力部と、音声記録部から音声信号を取り込むデータインターフェース部と、前記画像入力部により取り込まれた画像情報をプリント用画像イメージに変換する画像変換部と、前記データインターフェース部により取り込まれた音声信号を光学的に読み取り可能なようにコード化された音声コードイメージに変換するコード化変換部と、作成されるべき音声付き写真が有するエリアに対するレイアウト情報に基づいて、前記撮影画像の画像イメージを記録する画像領域と前記音声コードイメージを記録する音声領域を割り付ける領域設定部と、領域を割り付けられた前記画像イメージと前記音声コードイメージを合成する画像処理部と、前記画像処理部で合成された両イメージを感光材料に焼き付けるデジタル露光部と、前記画像イメージと音声コードイメージが焼き付けられた感光材料を現像して音声付き写真プリントを作り出す現像処理部とを備え、さらに以下のいずれかの特徴を備えている；
１）前記領域設定部はペーパーサイズ優先モードと音質優先モードを備えており、ペーパーサイズ優先モードでは、変更コマンドに応答して、圧縮パラメータを変更して対応音声信号を再コード化することで音声コードイメージが必要とする領域サイズを変更し、音質優先モードでは、変更コマンドに応答して、前記音声領域を前記音声コードイメージが必要とする領域サイズに合うようなサイズに変更すること、
２）前記レイアウト情報は前記写真フィルム又は前記記録メディアの所定箇所に記録されていること、
３）前記領域設定部による前記両イメージの領域割り付け情報を前記写真フィルム又は前記記録メディアの所定箇所に記録すること。
【０００９】
本発明による第４の手段としての写真処理装置は、画像記録部から撮影画像を取り込む画像入力部と、音声記録部から音声信号を取り込むデータインターフェース部と、前記画像入力部により取り込まれた画像情報をプリント用画像イメージに変換する画像変換部と、前記データインターフェース部により取り込まれた音声信号を光学的に読み取り可能なようにコード化された音声コードイメージに変換するコード化変換部と、作成されるべき音声付き写真が有するエリアに対するレイアウト情報に基づいて、前記撮影画像の画像イメージを記録する画像領域と前記音声コードイメージを記録する音声領域を割り付ける領域設定部と、領域を割り付けられた前記画像イメージと前記音声コードイメージを合成する画像処理部と、前記画像処理部で合成された両イメージを印刷シートにプリントアウトするプリント装置とを備え、さらに以下のいずれかの特徴を備えている；
１）前記領域設定部はペーパーサイズ優先モードと音質優先モードを備えており、ペーパーサイズ優先モードでは、変更コマンドに応答して、圧縮パラメータを変更して対応音声信号を再コード化することで音声コードイメージが必要とする領域サイズを変更し、音質優先モードでは、変更コマンドに応答して、前記音声領域を前記音声コードイメージが必要とする領域サイズに合うようなサイズに変更すること、
２）前記レイアウト情報は前記写真フィルム又は前記記録メディアの所定箇所に記録されていること、
３）前記領域設定部による前記両イメージの領域割り付け情報を前記写真フィルム又は前記記録メディアの所定箇所に記録すること。
【００１０】
上記第１の手段としての写真処理装置は、投影露光で感光材料に撮影画像を焼き付けて画像イメージを形成し、音声コードイメージが熱転写型などのプリント装置によって感光材料に印刷することで音声付き写真を作成するものであり、上記第２の手段としての写真処理装置は、投影露光で感光材料に撮影画像を焼き付けて画像イメージを形成し、音声コードイメージも感光材料にデジタル露光部で焼き付けられることで音声付き写真を作成するものであり、上記第３の手段としての写真処理装置は、取り込んだ撮影画像を画像処理して得られた画像イメージと取り込んだ音声信号をコード化して得られた音声コードイメージを合成した上でその合成イメージがデジタル露光部で焼き付けられることで音声付き写真を作成するものであり、上記第４の手段としての写真処理装置は、取り込んだ撮影画像を画像処理して得られた画像イメージと取り込んだ音声信号をコード化して得られた音声コードイメージを合成した上でその合成イメージがプリント装置によって印刷シートに印刷することで音声付き写真を作成するものであるが、いずれにしても、作成されるべき音声付き写真が有するエリアに対して画像イメージを記録する画像領域と音声コードイメージを記録する音声領域を割り付けることがレイアウト情報に基づいて行われることが本発明の重要なポイントである。これにより、ソースとなっている画像や音声の品質、サイズ、さらにその内容内での優先度などの特徴に見合ったレイアウトでもって音声付き写真を作成することができる。なお、上記説明から明らかなように、第１の手段と第２の手段としての写真処理装置ではＡＰＳのような写真フィルムが入力ソースとして考慮されており、第３の手段と第４の手段としての写真処理装置では写真フィルムを含め音声と画像の両者を記録できる記録メディア全体が入力ソースとして考慮されている。
さらに、１）前記領域設定部はペーパーサイズ優先モードと音質優先モードを備えており、ペーパーサイズ優先モードでは、変更コマンドに応答して、圧縮パラメータを変更して対応音声信号を再コード化することで音声コードイメージが必要とする領域サイズを変更し、音質優先モードでは、変更コマンドに応答して、前記音声領域を前記音声コードイメージが必要とする領域サイズに合うようなサイズに変更するという特徴を採用することで、作業性が高まり、顧客等の要望に応じて、音声の品質を重要視した音声付き写真と、決められた音声領域の大きさのなかで出来るだけ長い時間の音声を入れた音声付き写真との選択的な作成が簡単となる。
また、２）前記レイアウト情報は前記写真フィルム又は前記記録メディアの所定箇所に記録されている特徴を採用することで、領域設定部はこの磁気記録部からレイアウト情報を読み取ることができ、ソースとしての音声や画像とレイアウト情報が物理的に一体化され、互いにバラバラになることがなくなるし、また音声の読み取りやレイアウト情報の読み取りが連続した工程で行うことができ、音声付き写真作成の生産性の向上も期待できる。
また、３）前記領域設定部による前記両イメージの領域割り付け情報を前記写真フィルム又は前記記録メディアの所定箇所に記録する特徴を採用することで、この音声付き写真処理装置で設定されたレイアウトに関する情報がソースとしての音声や画像と物理的に一体化され、互いにバラバラになることがなくなり、同じ音声付き写真の再注文において便利である。
【００１１】
そのようなレイアウト情報に基づく画像領域と音声領域の設定は領域設定部で行われるが、本発明の好適な実施形態として、この領域設定部が画像領域外に音声領域を割り付ける場合、撮影画像を大切にした音声付き写真を作成することができる。この場合、音声領域に必要なエリアを確保するためにより大きな感光材料や印刷シートを使用することが好ましい。これとは違って、領域設定部が画像領域に音声領域をオーバーラップするか又はその内側に入るように割り付ける場合、つまり画像イメージの一部に音声コードイメージを形成する場合、音声領域の配置の自由度が大きくなるだけではなく、画像と音声の関連、例えば、複数人物の画像イメージにおいて特定の人物に関連付けてその特定人物の音声コードイメージを配置するなど、を考慮できる。その際、画像イメージの中の音声コードイメージによって占有される部分はその画像にとって重要度の低いところにすることが好ましい。
【００１２】
本発明の好適な実施形態として、前記レイアウト情報は前記写真フイルム又は前記記録メディアに記録された被写体位置情報であり、前記被写体位置情報より被写体位置を読み取って前記画像領域内の被写体位置以外に前記音声領域が割り付けられるものがある。この場合、撮影画像は通常被写体と背景とから構成され、重要なのは被写体であるので、この被写体を避けたエリアに音声領域を設定することで、画像の情報的価値の低下を抑制する。被写体位置情報は撮影画像に記録された被写体の濃度によって求めることができる。特に背景から浮かび上がった人物等の場合、背景と人物との間に濃度差がきわだったり、背景の濃度が一定あるといった抽出条件を設定しやすく撮影画像中の重要部分としての人物等を選択することができる。さらに、カメラにおいて、撮影時に撮影する画面を分割画面毎に測距して求めた被写体までの測距情報が写真フイルムに記録されており、分割画面毎の被写体の測距距離の差を被写体位置情報として利用することもできる。
【００１３】
また、本発明の別な好適実施形態として、前記レイアウト情報が作成されるべき音声付き写真が有するエリアを規定するプリントサイズ情報を含むならば、明確にされたプリントサイズの枠内で画像領域と音声領域を配置し、顧客の要望あるいは装置仕様に適用した音声付き写真を作成することができる。
【００１４】
オペレータの作業性を向上させるための好適な実施形態として、本発明では前記領域設定部によって割り付けられる前記画像領域及び前記音声領域を含む、作成されるべき音声付き写真のレイアウトをモニタに表示することが提案される。これにより、オペレータは作成しようとする音声付き写真のレイアウトを前もって視覚的に確認することができるだけではなく、必要の場合モニタ画面を見ながらレイアウト修正できるような構成を採用することも可能である。
【００１７】
【発明の実施の形態】
本発明による音声付き写真処理装置の処理対象となる、撮影画像と音声信号の両方を記録することができる記録メディアのなかで、ここでは写真フィルム（以下、単にフィルムとも称する）２の模式図を図１に示している。この種のフィルム２の代表として、ＡＰＳ（新写真システム）フィルムと呼ばれているものがあり、撮影画像が形成される画像コマ２ａの両側には、磁気記録部としての細いストリップ状の磁気記録層２ｂが割り当てられている。この磁気記録層２ｂには、撮影データやフォトフィニッシングデータを書き込むことができるが、この実施の形態ではいずれか一方の側の磁気記録層２ｂを音声記録用に確保し、音声信号を記録できる写真フィルム２として利用している。もちろん、音声信号の記録のための両側の磁気記録層２ｂを利用する構成を採用することも可能である。さらには、画像コマ２ａの領域も含め、フィルム２の全面もしくはその任意の一部を音声信号記録用磁気記録層２ｂとして割り当てて、利用することも可能である。
【００１８】
磁気記録層２ｂへの音声信号の記録は、よく知られたマイクロテープレコーダの方式を利用することができ、マイクなどによって入力されたアナログの音声信号は磁気ヘッドを介して書き込まれる。走査方式としては、磁気ヘッドを磁気記録層２ｂに沿って移動させてもよいが、カメラ撮影時に行われるフィルム巻き上げを利用するならば、磁気ヘッドは固定でよく、カメラへの組み込みが容易となる。
【００１９】
本発明による音声付き写真を作成するための写真処理装置の１つの形態を示すブロック図が図２に示されている。写真処理装置１には、写真用フィルム２の撮影画像を写真感光材料としての印画紙３に投影露光する投影露光部２０と、印画紙３に音声コードイメージを露光焼き付けするデジタル露光部３０としての、例えばＣＲＴプリンターや蛍光プリンターなどの銀塩カラー印画紙（感光材料）用プリンター、投影露光部２０と印画紙用プリンター３０による各焼付処理において印画紙３の搬送をそれぞれ独立に行うために印画紙３のループを形成するループ形成部４０と、焼付処理された印画紙３を現像する現像処理部５０、フィルム２の磁気記録層２ｂから音声信号を読み取る再生用磁気ヘッド６０、及び、写真焼付装置１の各部の制御や各種データの演算処理を行うコントローラ１００が設けられている。コントローラ１００には各種の情報入力を行うための操作卓６２及びモニタ６３が接続されている。
【００２０】
印画紙３をロール状に収納している印画紙マガジン４から引き出された印画紙３は、投影露光部２０でフィルムから画像イメージを、そしてデジタル露光部３０としてのＣＲＴプリンター３１で音声コードイメージを焼付露光された後、現像処理部５０にて現像され、図３で示されたような音声付き写真プリント５が出力される。このプリント５に形成された音声コードイメージ７を専用の読み取りスキャナー８で手動走査すると、このスキャナー８に内蔵されている音声再生回路の働きで、音声コードイメージ７に対応する音がスピーカ８ａより出力される。コントローラ１００は、フィルム搬送機構のモータ７２や印画紙搬送機構８０のモータ８４、８５の制御も行っている。
【００２１】
以下、各構成要素について説明する。
投影露光部２０には、投影露光用光源２１、フィルム２に照射する光の色バランスを調整する調光フィルタ２２、調光フィルタ２２を通過した光を均一に混色するミラートンネル２３、フィルム２の画像を印画紙３上に結像させる焼付レンズ２４及びシャッタ２５、及び印画紙３に対する露光エリアを設定するペーパーマスク２６が露光光路をなす同一光軸上に設けられている。
フィルム２に形成されている撮影画像を走査してデジタル画像として取得する撮影画像用スキャナー９が、投影露光部２０のフィルム搬送経路上流側に設けられている。このスキャナー９は、フィルム２に対して白色光を照射し、その反射光あるいは透過光の強度を赤色，緑色，青色の３原色に分解して、ＣＣＤラインセンサに検出させて、Ａ／Ｄ変換し、コントローラ１００に送り込む。
【００２２】
コントローラ１００は、図４に示されているように、投影露光部２０の露光制御を行う投影露光制御部１１０と、スキャナー９によって取得される画像データを処理する画像入力部１２０と、フィルム２の磁気記録層２ｂからＲ磁気ヘッド６０を用いて音声データなどの情報を取得するとともにＷ磁気ヘッド６１を用いて情報を磁気記録層２ｂに書き込む磁気記録入出力部１３０と、取得した音声データを処理して対応する音声コードイメージを生成するコード化変換部１４０と、音声付き写真を構成する画像イメージと音声イメージのレイアウト編集を行うレイアウト編集部１５０とを備えている。
【００２３】
画像入力部１２０は、スキャナー９から送られたきた画像データを適当なＩＤを付与しながら格納する画像データ蓄積部１２１と、この画像データ蓄積部１２１の画像データに対して色補正などの各種画像処理を行う画像データ変換部１２２を備えている。投影露光制御部１１０は、画像データ蓄積部１２１に格納された画像データを利用して露光条件を求める露光条件演算部１１１と、露光条件演算部１１１が求めた露光条件に基づいて投影露光部２０の調光フィルタ２２やシャッタ２５の動作を制御する露光制御部１１２と、露光時の印画紙３の送りを制御する送り制御部１１３を備えている。
【００２４】
画像データ変換部１２２は、画像データ蓄積部１２１から読み出した画像データを露光条件演算部１１１が求めた露光条件に基づいてモニタ６３に表示するためのシミュレート画像データに変換する機能を有する。画像データ変換部１２２に登録されている、画像データのネガポジ変換等の変換処理に用いる種々のパラメータは、露光条件演算部１１１で求めた露光条件にて写真フィルム２の撮影画像コマを印画紙３に投影露光して印画紙３上に形成する画像と同等の画像をモニタ６３に表示できるように設定されている。もし、モニタ６３に表示されたシミュレート画像が満足できるものでない場合、オペレータが操作卓６２を用いてマニュアルでＹ（イエロー），Ｍ（マゼンタ），Ｃ（シアン）の各色の露光量の増減や写真の濃度変化に相当する露光量の平均的な増減を指示入力することで露光条件を変更すること、つまり色補正が行われる。
【００２５】
磁気記録入出力部１３０は、Ｒ磁気ヘッド６０やＷ磁気ヘッド６１の動作を制御する磁気ヘッド制御部１３１と、Ｒ磁気ヘッド６０によって読み込まれた信号をＡ／Ｄ変換したり、Ｗ磁気ヘッド６１に信号を送り出すためにＤ／Ａ変換したり、種々の信号変換を行う信号変換部１３２と、Ｒ磁気ヘッド６０を介してフィルム２の磁気記録層２ｂから読み込まれた音声データや、場合によって記録されている被写体に関するデータなどを選別するデータセレクト部１３３を備えている。
【００２６】
ここで言う被写体に関するデータとは、撮影時に求められた被写体の位置がフイルム２の画像コマ２ａ内の座標値に換算されて磁気記録層２ｂに書き込まれた情報や、後で詳しく説明するがこの音声付き写真処理装置によって磁気記録層２ｂに書き込まれる音声付き写真のレイアウト情報である。前者に関して、例えば、走査ビームによる主要被写体を探査することで被写体位置を算出しフィルムに書き込む技術は特開平５−７２６４８号公報に、サーモグラフとフォーカス位置検出機構との組み合わせで主要被写体の位置を検出する技術は特開平６−７５３０５号公報に詳しく開示されており、ここではこれ以上の説明は省略する。
【００２７】
コード化変換部１４０は、データセレクト部１３３から送られたきた音声データを適当なＩＤを付与しながら格納する音声データ蓄積部１４１と、波形符号化、分析合成符号化など公知の符号化手法から選ばれた適当なもので構築された音声データ圧縮符号化部１４２と、これにより符号化された音声コードデータを二次元のコードイメージに展開するコードイメージ生成部１４３とコードイメージ蓄積部１４４とを備えている。
【００２８】
レイアウト編集部１５０は、プリントとして仕上げられた音声付き写真５における画像イメージ６と音声コードイメージ７のための領域をレイアウト情報に基づいて設定する領域設定部１５１と、フィルム２の磁気記録層２ｂからデータセレクト部１３３を経て送られたきた被写体情報を適当なＩＤを付与して格納するレイアウトデータ蓄積部１５２と、圧縮符号化部１４２で圧縮された音声データがコードイメージ化された際の外形サイズだけを簡易的に求める目的に合わせて音声データをサイズイメージ化するプリコードイメージ生成部１５３と、プリコードイメージ生成部１５３によってサイズイメージ化されたデータから実際に記録される音声コードイメージの外形サイズを算出するコードイメージ容量算出部１５４を備えている。さらに、フィルム２の磁気記録層２ｂから対応する画像データに関する被写体情報が得られない場合のために、画像入力部１２０で取得された画像データからよく知られた画像処理技術、一般には濃度差や一定濃度を利用した主要被写体などの輪郭の抽出を行う画像特徴抽出部１５５も備えられている。
【００２９】
領域設定部１５１には、作成されるべき音声付き写真が有するエリアに対して画像領域割り付ける画像領域設定部１５１ａと音声領域を割り付ける領域設定部１５１ｂが設けられている。この領域割り付け作業はモニタ６３によって確認しながら行われる。オペレータの作業性を考慮して、割り付けられた画像領域には選択された画像イメージが流し込まれるので、その画像領域のサイズと画像イメージの本来もつサイズとの関係が容易に把握することができる。同様に、音声領域にもコードイメージ容量算出部１５４で算出された外形サイズを表す所定パターンが流し込まれるので、その音声領域のサイズとコードイメージデータ生成部１４３によって生成される音声コードイメージがもつサイズとの関係が予め容易に把握することができる。流し込まれたイメージが領域からはみ出す場合はその領域にオーバーフローを示す記号が表示される。尚、この実施形態では音声圧縮符号化を行って音声コードイメージを算出しているが音声圧縮符号化が固定的圧縮であるときは、音声圧縮符号化せずに、圧縮後のデータ量を換算式又はテーブルで求めることもできる。
【００３０】
レイアウト編集部１５０は、ＤＴＰ（デスクトップパブリッシング）でよく用いられているページレイアウトソフトに類似する機能をもっている。作成される音声付き写真を１ページのワークエリアとみなして、画像領域と音声領域を割り付けるのであるが、その際レイアウトデータ蓄積部１５２に格納されているレイアウトデータが規定する情報が割り付け作業の条件となる。例えば、画像領域外に音声領域が割り付けられるという条件、画像領域に音声領域をオーバーラップさせるように割り付けられるという条件、画像領域の内側に音声領域を入れるように割り付けられるという条件、などである。さらに画像領域に音声領域をオーバーラップさせたり、画像領域の内側に音声領域を入れる場合を考慮して、主要被写体に音声領域がオーバーラップしないように、被写体位置情報もレイアウト情報としてレイアウトデータ蓄積部１５２に格納されていることもある。必要に応じて画像特徴抽出部１５５よって算出された主要被写体の位置情報もレイアウトデータ蓄積部１５２に格納されている。
【００３１】
また、印画紙３を用いる場合、印画紙のサイズはあまり自由に選択できないので、印画紙サイズに基づくプリントサイズがレイアウト情報として与えられている場合、幅方向のサイズには厳格に守られ、大きな音声領域が必要な場合その音声領域を確保するため、投影露光時の印画紙送りの量を大きくし、結果的に通常より長手方向に長いプリントサイズを作り出したりすることも可能である。また、通常の写真プリントに用いられているサービスサイズなどに限定される場合では、音声領域を画像領域にオーバーラップさせる。さらに、音声領域が長すぎる場合は、音声領域を分割して複数段で配置することも可能である。図５と図６は、その外形を枠線６３ａで表している音声付き写真のためのページレイアウトのモニタ６３画面であり、画像領域の外形を表している画像枠線６３ｂには対応する画像イメージが流し込まれており、音声領域の外形を表している音声枠線６３ｃには対応する音声コードイメージの外形サイズを表すパターン（ここでは斜線）が流し込まれている。図５では音声領域は画像領域の下に２段に分割されて配置されているのに対して、図６では画像領域内に音声領域が完全に入り込んでいるが、ここでは主被写体が人物の顔と見なされていることから、人物の顔を避けた場所に音声領域が配置されている。
【００３２】
さらに、このレイアウト編集部１５０には、圧縮パラメータを変更することで音声コードイメージが必要とする領域サイズを小さくするペーパー（印画紙や印刷シート）サイズ優先モードと、音声領域のサイズを音声コードイメージが必要とする領域サイズに合わせて大きくする音声品質優先モードがあり、任意に設定可能である。
以上述べたような、このレイアウト編集部１５０で設定されたレイアウト情報は最終的にＷ磁気ヘッド６１によりフィルム２の所定の磁気記録層２ｂに書き込まれる。
【００３３】
図４による音声付き写真処理装置１では、画像イメージは投影露光部２０によって形成され、音声コードイメージはコードイメージ蓄積部１４４に一時的に格納された後記録制御部１６０の制御の下で動作するイメージ記録部１６１によって印画紙３の所定の位置に形成される。ここで、イメージ記録部１６１とは、露光焼き付けタイプのデジタル露光部３０や、現像済みの印画紙に直接プリントする熱転写プリンタなどのデジタルプリンターを含む包括的な語句である。つまり図４のブロック図は、投影露光で感光材料に撮影画像を焼き付けて画像イメージを形成し、音声コードイメージも感光材料にデジタル露光部で焼き付けられることで音声付き写真を作成するタイプ、及び投影露光で感光材料に撮影画像を焼き付けて画像イメージを形成し、音声コードイメージが熱転写型などのデジタルプリンターによって感光材料に印刷することで音声付き写真を作成するタイプを表している。
【００３４】
これに対して、図７に示された音声付き写真処理装置１のブロック図は、画像イメージの形成に投影露光を用いないものであり、入力ソースとして、上述したフィルム２だけではなく、デジタルスチールカメラやビデオムービカメラなど各種のデジタル機器で採用されている記録メディアを用いることができる。例えば、フィルム２を入力ソースとする場合は、画像イメージは撮影画像をスキャンすることで取得できるし、その他の記録メディアでは、メディアに対応する読み取り機器を介して画像及び音声信号を取得できる。プリントのやり方により、取得された画像と音声信号はそれぞれ上述したように処理されて画像イメージと音声コードイメージに変換され、これらを合成した上でその合成イメージがデジタル露光部で焼き付けられることで音声付き写真を作成するタイプ、及び画像イメージと音声コードイメージの合成イメージがデジタルプリンターによって印刷シートに印刷するタイプに分けられるが、図７のブロック図はその両方の構成を表している。
【００３５】
この図７に示されたブロック図は、ほぼ図４に示されたブロック図と同じであるが、投影露光制御部１１０が省略され、新たに画像データ変換部１２２からの画像データとコードイメージ蓄積部１４４からの音声コードイメージをレイアウト編集部１５０の設定したレイアウト通りに合成するイメージ合成部１７０が追加されていることで異なっている。さらに、種々の記録メディアを取り扱う関係上、図４での磁気記録入出力部１３０は、データインターフェース部１３０と名付けられているが、もちろん、データインターフェース部１３０は、磁気的な信号の処理以外の入出力処理（例えば光学的なもの）も含む磁気記録入出力部を包括する語句である。また、画像入力部１２０には、スキャナー９のみならず、図示はされていないが、各種記録メディアのための入力機器が必要に応じて備えられる。イメージ合成部１７０で合成された合成イメージはデジタルプリンターであるイメージ記録部１６１によって印刷シートに印刷され、これによって音声付き写真プリント５が出来上がる。ここでも、レイアウト編集部１５０で設定されたレイアウト情報は最終的に、各記録メディアに適した書き込みヘッド、例えばＷ磁気ヘッド６１により記録メディアの所定所定箇所に書き込まれる。
【００３６】
次に音声付き写真処理装置１の音質優先モードにおける典型的な作業の流れ図８のフローチャートを用いながら説明する。
顧客が撮影画像と音声信号を記録したフィルム２をＤＰＥ店に提出すると、ＤＰＥ店は顧客情報や注文仕様を受け付けると、持ち込まれたフィルム２が未現像の場合は現像処理した後（＃１）、現像済みの場合はそのまま処理装置１に装填する（＃２）。装填されたフィルム２は、複数の搬送ローラ７１と搬送ローラを駆動するモータ７２から構成されるフィルム搬送機構７０によってスキャナー９とＲ磁気ヘッド６０の方へ送られる。まず、磁気記録層２ｂに記録された信号がＲ磁気ヘッド６０によって読み込まれ、データセレクト部１３３によって音声データは音声データ蓄積部１４１に、レイアウト編集に関するデータはレイアウトデータ蓄積部１５２に格納される（＃３）。フィルム２の画像コマ２ａはスキャナー９によって読み取られ、デジタル画像データとして画像データ蓄積部１２１に格納される（＃４）。
【００３７】
取得された画像データは、画像データ変換部によって前もって設定されているパラメータでもって自動補正される（＃５）。補正された画像データは、レイアウト編集部１５０によって、予め設定されているかあるいはレイアウトデータに基づいて設定されている画像領域に流し込まれ、モニタ６３に表示される（＃６）。表示された画像イメージに対する色補正などの補正が必要かどうかチェックして（＃７）、必要なら色補正パラメータを入力などの補正指示を行う（＃８）、満足できる画像イメージが得られるまでこの補正を繰り返す。なお、この補正処理において画像領域のサイズや位置を変更することも可能である。
【００３８】
続いて、音声領域に関する処理に移る。入力された音声データは圧縮符号化部１４２によって圧縮され（＃９）、プリコードイメージ生成部１５３とコードイメージ容量算出部１５４によって音声コードイメージの外形サイズが算出される（＃１０）。算出された外形サイズでもったパターンを音声領域に流し込んで、予め設定されているかあるいはレイアウトデータに基づいて設定されている音声領域のサイズがＯＫかどうか、つまり音声コードイメージのレイアウトがＯＫかどうかチェックされる（＃１１）。音質優先モードでの作業であるので、もし音声領域のサイズが小さすぎる場合、音声領域の長さを長くするか、音声領域を複数段にするかなどの音声領域の再編集を行う（＃１２）。再編集で音声領域が拡大することにより音声付き写真のサイズも大きくなるので、イメージを露光焼き付けする場合では、印画紙３の長さが通常より長くなるように送り補正設定が行われ、イメージをプリント印刷する場合では、印刷ペーパーのサイズ変更設定が行われる（＃１３）。
【００３９】
その後、あるいは＃１１でＹＥＳの場合、音声データはコードイメージデータ生成部１４３で音声コードイメージに変換され、コードイメージ蓄積部１４４に格納される（＃１４）。画像イメージと音声コードイメージは領域設定部１５１での設定通りにイメージ合成部１７０で合成され（＃１５）、記録制御部１６０の制御の下で動作するデジタル露光装置３０によって印画紙３上に焼き付けられる（＃１６）。デジタル露光装置３０の代わりに熱転写方式などのデジタルプリンター３１を用いる場合は、＃１３で設定されたサイズの印刷シートに印刷される。最後に、レイアウト編集部１５０でこの音声付き写真で設定されたレイアウト情報をＷ磁気ヘッド６１によってフィルム２の該当する磁気記録層２ｂに書き込む。これにより、１つの音声付き写真の作成が完了する。
【００４０】
上述した作業過程では、画像イメージと音声コードイメージが合成されてデジタルプリンター３１で印刷されたが、これに代えて、画像イメージのソースであるフィルム２の画像コマ２ａを投影露光部２０で印画紙３に焼き付ける場合、スキャナー９にて取得した画像データに基づいて投影露光制御部１１０が調光フィルタ２２を制御し、これにより、投影露光用光源２１の照射光をフィルム２の画像の色濃度に応じた色バランスに調整する。投影露光部２０では、その調整後の光でもってシャッタ２５の動作でフィルム２を照射し、フィルム２の画像コマ２ａを印画紙３に焼き付けて、画像イメージの潜像を形成する。その際、ペーパーマスク２６を操作し、印画紙３への露光エリアを種々に変更することができる。焼付処理後の印画紙３は印画紙搬送機構８０によって順次搬送されるが、この印画紙搬送機構８０には前述したループ形成部４０が設けられている。このループ形成部４０は印画紙３を搬送する搬送ローラ８１、８２と搬送ローラ８１を回転駆動するモータ８４とを備えており、図示を省略するが、印画紙３を搬送ローラ８１と８２の間において直線状に案内する状態と、図１に示すような印画紙３のループを形成するのを許容する状態とに切り換え自在のフラップが、印画紙搬送方向上流側のローラ８１と印画紙搬送方向下流側のローラ８２との間に設けられている。印画紙３のループを形成することにより、投影露光部２０とデジタル露光部３０における搬送処理を独立して行うことができ、その搬送速度をそれぞれ最適に設定することができる。
【００４１】
次に音声付き写真処理装置１のペーパー（シート）サイズ優先モードにおける典型的な作業の流れを図９のフローチャートを用いながら説明するが、比較すれば明らかなように、＃１〜＃１１と＃１４〜＃１７は図８のフローチャートと同じであり、ここでの説明は省略する。
よって、＃１１で、算出された外形サイズでもったパターンを音声領域に流し込んで、予め設定されているかあるいはレイアウトデータに基づいて設定されている音声領域のサイズが不適当な場合、つまり音声コードイメージが占有することが予想される面積が音声領域より大きい場合、圧縮率を変更してまで音声付き写真を作成するかどうかチェックし（＃１１２）、音声の挿入を中止する場合通常の画像イメージのみの写真を作成するルーチンに入る。このチェック時に顧客が待機しているのなら、圧縮率を大きくした場合の音声のサンプルを顧客に聞かせるようにしてもよい。音声付き写真の作成を続行する場合、大きな圧縮率入力し（＃１１３）、新たな圧縮率による圧縮符号化部１４２での音声データの圧縮のため＃９にジャンプする。このループにより、設定された音声領域に入る音声コードイメージが生成されるようにする。
【００４２】
上述した２つのフローチャートにおいて、＃１１で算出された外形サイズをもったパターンを音声領域に流し込んで、予め設定されているかあるいはレイアウトデータに基づいて設定されている音声領域のサイズがＯＫかどうか、つまり音声コードイメージのレイアウトがＯＫかどうかチェックされるが、その前に音声領域設定部１５１ｂによって音声領域が設定されている。その際、図６に示すように、音声領域を画像イメージにおける主要被写体から外れた場所に設定するモードを選択している場合、レイアウトデータ蓄積部１５２に被写体位置データが格納されているかチェックされ、あればその被写体位置データを用いて音声領域設定部１５１ｂが音声領域の割り付け位置を決定する。被写体位置データがなければ、画像特徴抽出部１５５が該当画像データから主要被写体を輪郭を算出し、この算出結果に基づいて音声領域設定部１５１ｂが音声領域の割り付け位置を決定する。
【００４３】
以上述べた作業の流れでは、入力ソースとして写真フィルムが採用されていたが、入力ソースがデジタルスチールカメラやビデオムービカメラなど各種のデジタル機器で採用されている記録メディア、例えばＦＤ、ＭＯ、スマートメディア、ＰＣカード、さらには通信回線を通じて送られてくるマルチメディアデータであっても、実質的に同様な流れで処理できるので、ここでは各メディア別の説明は省略される。
【図面の簡単な説明】
【図１】本発明による音声付き写真処理装置の処理対象となる、撮影画像と音声信号の両方を記録することができる写真フィルムの模式図
【図２】本発明による写真処理装置の１つの実施形態の概略構成を示すブロック図
【図３】本発明による音声付き写真からの音声の再生を示す説明図
【図４】写真処理装置のコントローラの主要な機能を示すブロック図
【図５】音声付き写真作成のためのレイアウト編集画面を示す説明図
【図６】音声付き写真作成のためのレイアウト編集画面を示す説明図
【図７】別形態の写真処理装置のコントローラの主要な機能を示すブロック図
【図８】音質優先モードにおける典型的な作業の流れを示すフローチャート
【図９】ペーパーサイズ優先モードにおける典型的な作業の流れを示すフローチャート
【符号の説明】
２  写真フィルム
２ａ画像コマ
２ｂ磁気記録層
３  感光材料（印画紙）
５  音声付き写真の仕上がりプリント
９  スキャナー
２０  投影露光部
３０  デジタル露光部
３１  デジタルプリンター
６０  Ｒ磁気ヘッド
６１  Ｗ磁気ヘッド
１００  コントローラ
１１０  投影露光制御部
１２０  画像入力部
１３０  磁気記録入出力部
１４０  コード化変換部
１５０  レイアウト編集部
１６１  イメージ記録部
【図１】
0003751443.tif 000002
【図２】
0003751443.tif 000003
【図３】
0003751443.tif 000004
【図４】
0003751443.tif 000005
【図５】
0003751443.tif 000006
【図６】
0003751443.tif 000007
【図７】
0003751443.tif 000008
【図８】
0003751443.tif 000009
【図９】
0003751443.tif 000010